(57)【要約】      （修正有）【課題】下を向けても器具が滑り落ちず、ビニール袋を使用する場合、糞と共にビニール袋内側が出て来てしまうのを防ぎ、地面等に置く時に安定して立ち、雨天時でも傘の両方を持て、夜間使用のランプを有する糞取り器の提供。【解決手段】下を向けて操作する時、器具が滑り落ちないよう、下側挟み片には指で挟める横方向垂直な略四角形片を立て、上側挟み片には親指が掛けられる少し低い横方向垂直な略四角形片を立てる。糞とちり紙のみを先にトイレに流すのに、下側挟み片の奥に内側挟み片を設ける。地面に安定に置くため、下側ビニール袋端押さえ片の前端部を広くする。下側指掛けがある物については、下側指掛けの接地部のみを部分的に広くする。手提げ部及びランプは、上側挟み片の中央付近の片側に取付け部に取り付け、その上部は環状にして指が掛かるようにし、傘の柄も通るようにする。取り付け部の中程にランプが着脱できるようにする。【選択図】図１
2014217360.tif 000002
【特許請求の範囲】
【請求項１】
挟むように動くことができる相対する挟み片を持ち、使用時には両挟み片を包むようにビニール袋を被せてその後に挟み口を押して凹ますか、又は先にビニール袋底を差し入れてその後に折り返して被せた上で、糞を挟み入れ、ビニール袋の端より裏返して包み込まれた糞を取り出すか、又は糞のみか糞とちり紙のみをトイレに流し、別にビニール袋は裏返して取り出すという糞取り方法を主な使用法とする器具の内、スプリングにより常には開こうとし、閉めておくためには止め具を要する器具において、下を向けて操作を行う時に器具が滑り落ちないよう、また操作しやすいよう下側挟み片に横方向垂直な略四角形片を立ててこれを指で挟んで保持し、上側挟み片にも下側より少し低い横方向垂直な略四角形片を立ててこれに親指をのせて操作する操作方法。
【請求項２】
挟むように動くことができる相対する挟み片を持つ糞取り器で、先に糞のみか糞とちり紙のみをトイレに流し、後でビニール袋は裏返して取り出すという糞取り方法において、糞と共にビニール袋内側が出て来てしまうのを防ぐために、下側挟み片の奥に内側挟み片を設け、ビニール袋セット時に先にビニール袋の底部を内側挟み片に挟み、それから折り返して上下挟み片全体を被せるビニール袋セット方法。
【請求項３】
挟むように動くことができる相対する挟み片を持つ糞取り器を、地面に安定に置く方法として、下側ビニール袋端押さえ片の前端部を特に広くするという方法。
【請求項４】
挟むように動くことができる相対する挟み片を持つ糞取り器の内、スプリングにより常には閉じようとするタイプで、下側指掛けがある物について、下側指掛けの接地部のみを部分的に広くすることで接地安定性を得るという方法。
【請求項５】
挟むように動くことができる相対する挟み片を持つ糞取り器において、上側挟み片の中央付近の片側に取付け部を設け、ここに片持ちの手提げ部を取り付け、その上部は環状にして指が掛かるようにすると共に、傘の柄も通るようにし、更に取り付け部の中程にランプが着脱できるようにした手提げ部。
【発明の詳細な説明】
【技術分野】
【０００１】  本発明は主にペット犬の散歩時に用いる携帯用糞取り器に関するものである。
【背景技術】
【０００２】  ペット犬は一般に散歩時に糞をする習性があり、近年市街化が進む中で、糞の後始末が義務づけられるようになってきている。このため種々の器具が考案されているが、値段と使い易さに不十分なところがあり、一般にはあまり普及していない。
【先行技術文献】
【特許文献】
【０００３】  本考案の先行技術として下記の公報文献がある。
【特許文献１】  特開平１０−１０８５７３号  公報
【特許文献２】  特開２００３−５２２６５号  公報  特許文献１及び特許文献２は使いやすさ及び作りやすさにおいて不十分な所がある為、新たな方法について追加の申請を行う。
【発明の概要】
【発明が解決しようとする課題】
【０００４】  特許文献１及び特許文献２は、共に後方部を支点として上下に開閉する上側及び下側の挟み片を持ち、市販のビニール袋を被せた上でビニール袋内に糞を挟み入れ、後で糞が中にある状態でビニール袋を裏返して取り出すか、又は糞のみか又は糞とちり紙のみを先にトイレに流し、後でビニール袋のみを裏返して取り出すという使用法であり、後方の支点を基準にしてスプリング等の弾性体の前後位置により、通常閉じようとさせるか、通常開こうとさせるかを決め、通常閉じようとする物の場合は使用時には開けるための指掛けが必要になり、通常開こうとする物の場合は開けておくためのスプリング等の取り付け法の他、不使用時には閉じておくための止め方法が必要になるが、特許文献では不十分な所がある。また糞取り器は使用時には下を向けて操作する必要があるが、通常閉じようとする物の場合で、開けるための指掛けがある物については下を向けての操作時にも支障はないが、通常開こうとする物の場合は使用時に下を向けると器具が滑り落ちようとするため、これに対し効果的で使いやすい対応が必要であるが特許文献２には明記されていない。【０００５】  特許文献２にある糞のみか又は糞とちり紙のみを先にトイレに流し、後でビニール袋を裏返して取り出すという使用法の場合、糞と共にビニール袋内側が出て来てしまうのを防ぐ為、上下挟み片の内側に両面テープを使用するという方法は使いにくいため、別の方法が望ましい。【０００６】  糞取り器を手から離して地面等に置く時に安定して立つ必要があるが、なるべく余分な部品を使わずに立つことが望ましい。【０００７】  雨天時で傘を持つ場合、犬を連れて糞取り器と傘の両方をもつことは極めて難しい。着脱式の手提げ部があると楽になる。また夜間使用時にはランプが欲しいが、軽くて着脱が容易で点灯消灯が容易なものが望ましい。
【課題を解決するための手段】
【０００８】  通常は開こうとするタイプについて、最も簡易な方法として軸を使わない支点部に近い後方中央に一本の引張りコイルバネを上下のピンで固定し、不使用時に閉じておくため、支点部の前方の左右位置にＬ形フックを設ける。下を向けて糞取り操作を行う時、器具が滑り落ちないよう、また操作がやり易いよう下側挟み片に横方向垂直で少し内側に湾曲する四角片を立て、これを下側指で挟んで保持するようにする。上側には横方向垂直に上端が少し凹形を成す背の低い四角片を立て、これを親指で引掛けるように押して操作する。【０００９】  糞のみか又は糞とちり紙のみを先にトイレに流し、ビニール袋は後で裏返して取り出すという使用法で、糞と共にビニール袋内側が出て来てしまうのを防ぐ為には、下側挟み片の奥に内側挟み片を設け、ビニール袋セット時に先にビニール袋の底部を内側挟み片に挟み、それから折り返して上下挟み片全体を被せるセット法とする。この内側挟み片からはビニール袋を強く引けば容易に抜ける。【００１０】  糞取り器を地面に安定に置く方法として、下側ビニール袋端押さえ片の前端部を広くして、この部分と下側指挟み四角片の下端部とで接地させる。なお通常閉じようとするタイプで、下側指掛けがある物については下側指掛けの接地部のみを部分的に広くすることで接地安定性を向上できる。【００１１】  着脱式の手提げ部及びランプについては、上側挟み片の中央付近の片側に取り付け部を設け、ここに片持ちの手提げ部を取り付ける。手提げ部の上部は環状にして指が掛かるようにすると共に、傘の柄も通るようにしておくと便利である。手提げ部の中程にはランプ保持部が着脱できるようにする。ランプ保持部には押しボタンスイッチ式の小型ランプを差し込み、回すことで点灯消灯が可能になる。
【発明の効果】
【００１２】  本器具は、食品スーパー等で購入者に自由に利用させている透明ビニール袋を利用している為、維持費が安価である。ビニール袋を使って手で直接糞を取る人もいるが、本器具は原理的にはそれと全く同じ方法で取っている。ただ本器具を使えば直接触ることなく草むら中や柔らかい糞も比較的容易に取れ、しかも器具を汚すことがない。また人によっては糞をする犬から直接糞を受ける人もいるが、本器具でも手提げ部を持てば可能である。また散歩が夜になってもランプが付いており、雨の日の傘を持っての散歩も考慮されている。散歩後は糞はトイレに流すなり、糞ごとビニール袋を取り出して口元を結ぶなりして別途処理できる。ビニール袋を再セットして壁等のフックに掛けておけば、汚れや臭いもなく待機できる。
【図面の簡単な説明】
【００１３】
【図１】  本発明の携帯糞取り器で通常は開こうとするタイプに対し、垂直上下方向に四角片を立てて指で保持する方法を示す斜視図である。
【図２】  ビニール袋の底部を保持する場合の保持方法を示す側面図である。
【図３】  通常は開こうとするタイプの携帯糞取り器で、接地安定性を良くするために下側ビニール袋押さえ片の前端部を広くする方法を示す下側斜視図である。
【図４】  通常は閉じようとするタイプの携帯糞取り器で、接地安定性を良くするために下側指掛け片の接地部のみを広くする方法を示す斜視図である。
【図５】  着脱式のランプおよび手提げ部の取り付け方法を示す部分斜視図である。
【発明を実施するための形態】
【００１４】  図１に通常は開こうとするタイプで、ビニール袋がセットされていない状態の斜視図を示す。図において１は上側挟み片、２は下側挟み片、３は支点部で、４は支点部より後方にある引張りスプリング、５は引張りスプリング止めピンを示す。この引張りスプリングにより通常は開こうとするのを閉じておくためには、支点の前方に止めフック６が付く。本器具を下向きに使用しようとすると器具が手から抜け落ちようとするが、これを防ぐため、これは本発明の主な特徴の１つであるが、下側に垂直に下側指挟み四角片７を設け、指で挟んで保持する。下側指挟み四角片は少し内側に湾曲させると挟み易い。また下側指挟み四角片には穴９を開けておくと、保管時に器具を壁フックに掛けるのに都合がよい。同様に上側にも少し低い上側親指置き四角片８を設け、上端部を少し凹形にして親指を置き易くすると保持し易い。
【００１５】  図２は図１の器具にビニール袋１０をセットして口を開けた状態を示す側面図である。ビニール袋は底部を内側挟み片１１で挟んだ後、折り返して端を上側ビニール袋端押さえ片１２、及び下側ビニール袋端押さえ片１３に差し込んで保持する。なおビニール袋底部を内側挟み片に挟むのは、糞のみか又は糞とちり紙のみを先にトイレに流し、ビニール袋は後で裏返して取り出すという使用法の場合のみ必要で、ビニール袋を糞と共に裏返して取り出し、口元を結んで焼却等の処理にする使用法の場合、内側挟み片の存在は無視してよい。
【００１６】  図３は図１の器具を地面に安定に置く方法として、下側ビニール袋端押さえ片１３の前端部を広くして、この部分と下側指挟み四角片７の下端部とで接地させる方法を示す為、下側から見えるようにした下側斜視図である。
【００１７】  図４は支点部３の前方に引張りスプリング４がある、通常は閉じようとするタイプの場合で、上側指掛け１４、及び下側指掛け１５がある物については、接地安定性を良くする為に下側指掛けの接地部のみを広くする接地安定板１６を設けることで、接地安定性を向上できる。
【００１８】  図５は図１の器具の取付け部１７に付く、手提げ部１８、及び着脱可能なランプ取付け部１９、及びランプ２０の状態を示す部分斜視図である。手提げ部の指入れ穴２１の中央付近は少し大きくして傘の柄が通るようにしてあり、雨の日で傘を持った状況でも手提げ部を柄に通して傘と器具の両方を持つことができ、また傘の柄の向きを調整することで、器具の向きも調整可能である。日が暮れるとランプが必要であるが、図では押しボタン式の円筒形ランプを使用しており、押しボタン２２をランプ取付け部の縦方向切り欠き２３に沿って押し込み、周方向切り欠き２４の方向に回すことにより、押しボタンが押し下げられてランプが点灯し、逆方向に回せばランプは消える。
【符号の説明】
【００１９】  １    上側挟み片
２    下側挟み片
３    支点部
４    引張りスプリング
５    引張りスプリング止めピン
６    止めフック
７    下側指挟み四角片
８    上側親指置き四角片
９    穴
１０    ビニール袋
１１    内側挟み片
１２    上側ビニール袋端押さえ片
１３    下側ビニール袋端押さえ片
１４    上側指掛け
１５    下側指掛け
１６    接地安定板
１７    取付け部
１８    手提げ部
１９    ランプ取付け部
２０    ランプ
２１    指入れ穴
２２    押しボタン
２３    縦方向切り欠き
２４    周方向切り欠き
【図１】
2014217360.tif 000003
【図２】
2014217360.tif 000004
【図３】
2014217360.tif 000005
【図４】
2014217360.tif 000006
【図５】
2014217360.tif 000007